【事件の表示】
　特願２００２−　　５８７３「光モジュール」拒絶査定不服審判事件〔平成１５年　７月２５日出願公開、特開２００３−２０７６９４〕について、次のとおり審決する。
【結　論】
　本件審判の請求は、成り立たない。
【理　由】
第１　手続の経緯
　
　本願は、平成１４年１月１５日に出願された、特願２００２−５８７３号であって、平成１７年２月１日付けで拒絶理由通知がなされ、同年４月６日付けで手続補正がなされ、同年８月２９日付けで最後の拒絶理由通知がされ、同年１１月７日付けで手続補正がなされ、平成１８年２月３日付けで拒絶査定がなされ、これに対し、同年３月９日付けで拒絶査定不服審判請求がなされるとともに同日付けで手続補正がなされたものである。
　
第２　平成１８年３月９日付けの手続補正についての補正却下の決定
　
［補正却下の決定の結論］
　
　平成１８年３月９日付けの手続補正（以下「本件補正」という。）を却下する。
　
［理由］
１．補正の内容
　
　本件補正は、特許請求の範囲について、補正前（平成１７年１１月７日付け手続補正書参照）に
　
「【請求項１】　上方に光を出射する面発光素子と上方から光を受光する面受光素子のうち少なくとも一方を搭載するパッケージと、
　前記面発光素子及び面受光素子の上方に位置するよう前記パッケージに固定された平板マイクロレンズと、
　下方に位置する前記面発光素子から出射した光を光ファイバに入射させ、前記光ファイバを伝播してきた光を下方に位置する前記面受光素子に入射させる光路変更部を備えた光ファイバコネクタと、
　この光ファイバコネクタの下面を前記パッケージの上面に当接させたとき、前記面発光素子及び面受光素子と前記光ファイバとが前記平板マイクロレンズ及び前記光路変更部を介して光学的に結合するよう前記パッケージと前記光ファイバコネクタとを機械的に位置決めする位置決め手段と、
　前記光ファイバコネクタを前記パッケージに着脱自在に固定する固定手段とを有し、
　前記平板マイクロレンズを、前記面発光素子及び面受光素子の光軸と位置を合わせて、前記パッケージに固定したことを特徴とする光モジュール。」
　
とあったものを、
　
「【請求項１】　上方に光を出射する面発光素子と上方から光を受光する面受光素子のうち少なくとも一方を搭載するパッケージと、
　前記面発光素子及び面受光素子の上方に位置するよう前記パッケージに固定された平板マイクロレンズと、
　下方に位置する前記面発光素子から出射した光を光ファイバに入射させ、前記光ファイバを伝播してきた光を下方に位置する前記面受光素子に入射させる光路変更部を備えた光ファイバコネクタと、
　この光ファイバコネクタの下面を前記パッケージの上面に当接させたとき、前記面発光素子及び面受光素子と前記光ファイバとが前記平板マイクロレンズ及び前記光路変更部を介して光学的に結合するよう前記パッケージと前記光ファイバコネクタとを機械的に位置決めする位置決め手段と、
　前記光ファイバコネクタを前記パッケージに着脱自在に固定する固定手段とを有し、
　前記光ファイバと前記平板マイクロレンズとの許容軸ずれ量の方が前記平板マイクロレンズと前記面発光素子または前記面受光素子との許容軸ずれ量よりも大きい構成であって、前記平板マイクロレンズを、前記面発光素子または面受光素子の光軸と位置を合わせて、前記パッケージに固定し、前記光ファイバの端面部分での光ビーム径よりも光ビーム径が太い部分で前記パッケージと前記光ファイバコネクタとを着脱可能としたことを特徴とする光モジュール。」
　
　と補正することを含むものであるところ、その内容は、以下の補正事項１ないし補正事項３のとおりである。
　
（１）補正事項１
　補正前の請求項１の「固定手段とを有し、」と「前記平板マイクロレンズを、前記面発光素子及び面受光素子の光軸と位置を合わせて、前記パッケージに固定したことを特徴とする光モジュール。」との間に、「　前記光ファイバと前記平板マイクロレンズとの許容軸ずれ量の方が前記平板マイクロレンズと前記面発光素子または前記面受光素子との許容軸ずれ量よりも大きい構成であって、」を挿入する。
　
（２）補正事項２
　補正前の請求項１の「面発光素子及び面受光素子の光軸と位置を合わせて」を、補正後の請求項１において「面発光素子または面受光素子の光軸と位置を合わせて」と補正する。
　
（３）補正事項３
　補正前の請求項１の「パッケージに固定した」を、補正後の請求項１において「パッケージに固定し、前記光ファイバの端面部分での光ビーム径よりも光ビーム径が太い部分で前記パッケージと前記光ファイバコネクタとを着脱可能とした」と補正する。
　
２．補正の適否について
　
　そこで補正の適否を検討するに、補正事項１は、補正前の請求項１に記載の「光モジュール」について、「前記光ファイバと前記平板マイクロレンズとの許容軸ずれ量の方が前記平板マイクロレンズと前記面発光素子または前記面受光素子との許容軸ずれ量よりも大きい構成であ」るとの構成を付加するものであるが、補正前の請求項１に記載した発明を特定するために必要な事項を限定するものではない。よって補正事項１は平成１８年改正前特許法（以下、単に「特許法」という。）１７条の２第４項第２号の「特許請求の範囲の減縮」を目的とするものに該当せず、特許法１７条の２第４項第４号の「明りょうでない記載の釈明」を目的とするものにも該当しない。さらに、補正事項１は、特許法１７条の２第４項第１号の「請求項の削除」または特許法１７条の２第４項第３号の「誤記の訂正」のいずれかを目的とするものにも該当しない。
　また、補正事項２は、補正前の請求項１では、「平板マイクロレンズ」を「面発光素子及び面受光素子の光軸と位置を合わせ」ているのに対して、補正後の請求項１では、「平板マイクロレンズ」を「面発光素子または面受光素子の光軸と位置を合わせ」ているとするものであるから、補正事項２は、特許請求の範囲を拡張するものである。したがって、補正事項２は、特許法１７条の２第４項第２号の「特許請求の範囲の減縮」を目的とするものに該当せず、特許法１７条の２第４項第３号の「誤記の訂正」を目的とするものにも該当しない。さらに、補正事項２は、特許法１７条の２第４項第１号の「請求項の削除」または特許法１７条の２第４項第４号の「明りょうでない記載の釈明」のいずれかを目的とするものにも該当しない。
　
３．本件補正についての結び
　以上のとおり、本件補正は、特許法第１７条の２第４項の規定に違反するものであるので、同法第１５９条第１項の規定において読み替えて準用する同法第５３条第１項の規定により却下されるべきものである。
　
第３　本願発明について
１．本願発明
　本件補正は上記のとおり却下されたので、本願の請求項１に係る発明（以下「本願発明」という。）は、「第２［理由］１．」に本件補正前の請求項１として記載したとおりのものである。
　
２．引用例
（１）原査定の拒絶の理由で引用された、本願の出願前に頒布された刊行物である特開２０００−２９２６５８号公報（以下、「引用例１」という。）には、以下の事項が図面とともに記載されている。
　
（ア）「【請求項１】  光学的に透明な材料によって直方体のブロック状に形成されたコネクタを備え、このコネクタの互いに対向する２つの面のうちの一方を斜面に形成するとともに、この２つの面を貫通し光ファイバが挿通されるファイバ貫通穴を形成し、このファイバ貫通穴の両側に位置決め用ガイドピンが挿通されるガイドピン挿入穴を設けたことを特徴とする光インタフェースコネクタ。
・・・・・
【請求項３】  請求項１または２記載のインタフェースコネクタにおいて、
コネクタの光軸上の面に光ファイバから出射した信号光を屈折させるレンズを備えていることを特徴とする光インタフェースコネクタ。
・・・・・
【請求項５】  光Ｉ／Ｏインタフェースモジュールを収納するパッケージであって、
このパッケージに複数のガイドピン挿入穴を有し請求項１〜４のうちのいずれか１つに記載の光インタフェースコネクタが設置されるコネクタ設置枠を設け、このコネクタ設置枠と前記光インタフェースコネクタのガイドピン挿入穴に挿通される位置決め用ガイドピンによって、前記光インタフェースコネクタをコネクタ設置枠に位置決め固定したことを特徴とする光インタフェースコネクタ設置枠付パッケージ。
・・・・
【請求項８】  パッケージ内に配設されたマルチチップモジュール基板と、このマルチチップモジュール基板上に搭載された光インタフェースデバイスおよび信号処理用ＬＳＩとを備え、前記光インタフェースデバイスと請求項１〜６のうちのいずれか１つに記載の光インタフェースコネクタを光結合させたことを特徴とする光Ｉ／Ｏインタフェースモジュール。
・・・・」
　
（イ）「【００２５】先ず、本実施の形態における光インタフェースコネクタ１の構造を説明する。光インタフェースコネクタ１は、コネクタ２５と、このコネクタ２５に挿通される光ファイバ２６およびマイクロレンズ２とで構成されている。
【００２６】前記コネクタ２５は、図１に示すように光学的に透明な材料、例えばアクリル樹脂等によって直方体のブロック状に形成され、互いに対向する２つの面２５ａ，２５ｂのうちの一方の面２５ｂが４５°の角度で斜めにカットされることにより斜面を形成している。また、コネクタ２５の内部には、それぞれ貫通穴からなる４つのファイバ貫通穴３と２つのガイドピン挿入穴４が形成されている。ファイバ貫通穴３は、光ファイバ２６より若干大きい穴径を有してアレイ状に設けられ、一端が前記斜面２５ｂに他端が垂直な面２５ａに開放している。ガイドピン挿入穴４は、前記２つの面１５，２５ａを挟んで上下に対向する他の２つの面２５ｃ，２５ｄに、前記ファイバ貫通穴３と直交するようにかつファイバ貫通穴３の両側に位置するように形成されている。さらに、前記他方の面２５ｃ，２５ｄのうち上側の面２５ｃの中央には、前記ファイバ貫通穴３に連通する接着剤滴下溝５が形成され、下側の面２５ｄは信号光の光入出力面を形成している。前記マイクロレンズ２は、前記光入出力面２５ｄでかつ光軸上に位置するように形成されている。
【００２７】このような光インタフェースコネクタ１は、前記コネクタ設置枠１２に前記位置決め用ガイドピン（以下、ガイドピンという）１４によって位置決めされて設置され、コネクタ押え枠１３によって固定される。ガイドピン１４としては、規格化されたＭＴ（Mechanical Transferable ）フェルール用ガイドピンが用いられる。なお、光インタフェースコネクタ１の取付方法については、さらに後述する。」
　
（ウ）「【００２８】次に、前記光インタフェースコネクタ１の製作法について述べる。先ず、コネクタ２５を射出成形によって形成する。次に、このコネクタ２５のファイバ貫通穴３に光ファイバ（例えばプラスチック光ファイバ）２６を挿入する。挿入後、接着剤滴下溝５に接着剤を滴下して、光ファイバ２６をコネクタ２５に固定する。接着剤としては、透明で、収縮率の小さいＵＶ硬化型接着剤、熱硬化型接着剤等が用いられる。
【００２９】光ファイバ２６を固定した後、斜面２５ｂから突出している光ファイバ２６の突出端部をカッタにより斜面２５ｂに沿って切断する。次に、斜面２５ｂを研磨することにより、光ファイバ２６の端面出しを行う。さらに、光ファイバ２６の端面に必要に応じて金属コートまたは誘電体多層膜を形成する。そして、光入出力面２５ｄの所望の位置にマイクロレンズ２を形成する。以上の工程により光ファイバ布線シート６の端末部に取付けられる光インタフェースコネクタ１の製作を終了する。」
　
（エ）「【００３１】次に、図２を用いて光インタフェースコネクタ１をパッケージ７に取付ける方法を説明する。光ファイバ布線シート６の開口部２４に設けた光ファイバストリップ端末部分２３に光インタフェースコネクタ１を取付ける。この光ファイバストリップ端末部分２３は真っ直ぐで湾曲しておらず、光ファイバ布線シート６と同一面を形成している。次に、パッケージ７の開口面７ａ（図５）にコネクタ設置枠１２を設置する。
【００３２】前記コネクタ設置枠１２は、コネクタ２５の厚みに相当する深さのコネクタ設置溝部１２ａを有し、この設置溝部１２ａの底面にガイドピン１４が立設されている。このガイドピン１４をコネクタ２５のガイドピン挿入穴４に通して光インタフェースコネクタ１を設置溝部１２ａに位置決め固定する。その後、コネクタ押え枠１３のガイドピン挿入穴１３ａにガイドピン１４を通してコネクタ押え枠１３をコネクタ２５の上に設置し、コネクタ押え枠１３をパッケージ７に図示しないねじによって固定することにより光インタフェースコネクタ１がパッケージ７に取付けられる。」
　
（オ）「【００３５】さらに、図４および図５を用いて本発明による光インタフェースコネクタ１およびパッケージ７を用いて実現された電気光配線分離ボードに搭載時の光Ｉ／Ｏインタフェースマルチチップモジュール９の電気／光配線接続形態について説明する。プリント回路基板１１と光ファイバ布線シート６とで構成される電気光配線分離ボードの基本構成は、図６に示した従来構造と同様である。光ファイバ布線シート６に内蔵された光ファイバ２６内を進行する信号光は傾斜した端面により当たるとその一部が反射してプリント回路基板１１に対して鉛直下方に光路変換される。この信号光はコネクタ２５の光入出力面２５ｄを透過してマイクロレンズ２に入射すると屈折され、パッケージ窓８を透過することによりパッケージ７内に導入され、光インタフェースデバイス（受光素子）１０に集光する。そして、この信号光は光インタフェースデバイス１０によって電気信号に変換された後、ワイヤボンディング１７を介して配線１９に伝送され、さらにワイヤボンディング１７を介して信号処理用ＬＳＩ２０に伝送されることにより、スイッチング処理等の信号処理が行われる。」
　
（カ）「【００３６】信号処理用ＬＳＩ２０による処理信号を光ファイバ布線シート６側に出力する場合は、光インタフェースデバイス１０が発光素子に変更されるのみであって、上記と反対の接続経路を経て光ファイバ布線シート６の光ファイバ２６に信号光が出力される。」
　
（キ）図２及び図５の記載から、「光インタフェースコネクタ１の下面を光インタフェースコネクタ設置枠１２付パッケージ７の上面に当接させたとき、位置決め用ガイドピン１４によって、傾斜した端面２５ｂで反射して鉛直下方に光路変換され光はマイクロレンズ２により光インタフェースデバイス（受光素子）１０に集光されるよう光インタフェースコネクタ設置枠１２付パッケージ７と光インタフェースコネクタ１とが位置決めされる」ことが見てとれる。
　
　上記記載を総合勘案すると、引用例１には、次の発明（以下「引用発明１」という。）が記載されていると認められる。
　
「光学的に透明な材料によって直方体のブロック状に形成されたコネクタを備え、このコネクタの互いに対向する２つの面のうちの一方を斜面に形成するとともに、この２つの面を貫通し光ファイバが挿通されるファイバ貫通穴を形成し、該ファイバ貫通穴に光ファイバを挿入し固定した後、斜面から突出している光ファイバの突出端部をカッタにより斜面に沿って切断し、斜面を研磨して光ファイバの端面出しを行い、前記ファイバ貫通穴の両側に位置決め用ガイドピンが挿通されるガイドピン挿入穴を設け、さらにコネクタの光軸上の面に光ファイバから出射した信号光を屈折させるマイクロレンズを備えた光インタフェースコネクタと、
　光Ｉ／Ｏインタフェースモジュールを収納するパッケージであって、前記光インタフェースコネクタが設置されるコネクタ設置枠を設けた光インタフェースコネクタ設置枠付パッケージと、
　前記コネクタ設置枠と前記光インタフェースコネクタのガイドピン挿入穴に挿通して前記光インタフェースコネクタをコネクタ設置枠に位置決めする位置決め用ガイドピンと、
　コネクタ押え枠と、
　前記パッケージ内に配設されたマルチチップモジュール基板と、
　該マルチチップモジュール基板上に搭載された光インタフェースデバイス（受光素子）および信号処理用ＬＳＩと
　を備えた光Ｉ／Ｏインタフェースモジュールにおいて、
　前記光インタフェースコネクタの下面を前記光インタフェースコネクタ設置枠付パッケージの上面に当接させたとき、前記位置決め用ガイドピンによって、前記光ファイバの傾斜した端面で反射して鉛直下方に光路変換され光が前記マイクロレンズにより前記光インタフェースデバイス（受光素子）に集光されるように前記光インタフェースコネクタ設置枠付パッケージと前記光インタフェースコネクタとが位置決めされ、前記コネクタ押え枠を前記コネクタの上に設置し、該コネクタ押え枠を前記パッケージにねじによって固定することにより前記光インタフェースコネクタを前記パッケージに取付けると、前記光ファイバ内を進行する信号光は傾斜した前記端面で反射して鉛直下方に光路変換され、前記コネクタの光入出力面を透過して前記マイクロレンズに入射すると屈折され、パッケージ内に導入され、光インタフェースデバイス（受光素子）に集光して、光インタフェースデバイスによって電気信号に変換されることにより、また、信号処理用ＬＳＩによる処理信号を出力する場合は、光インタフェースデバイスが発光素子に変更されるのみであって、上記と反対の接続経路を経て光ファイバに信号光が出力されることにより、前記光インタフェースデバイス（受光素子又は発光素子）と前記光インタフェースコネクタを光結合させる、光Ｉ／Ｏインタフェースモジュール。」
　　
（２）原査定の拒絶の理由で引用された、本願の出願前に頒布された刊行物である特開２０００−１１６９６２号公報（以下「引用例２」という。）には、以下の技術事項が記載されている。
　
（ア）「【請求項９】面発光型若しくは面受光型光素子アレイを光素子搭載用基板の搭載面に接続実装し、前記光素子アレイとレーザ光を集光するレンズアレイと光ファイバアレイとが光結合するように、前記光素子搭載用基板の搭載面に前記レンズアレイを形成したレンズアレイブロックと前記光ファイバアレイの端部を保持する光コネクタフェルールを着脱自在に挿着する光コネクタハウジングとを積み重ねて固定して構成することを特徴とする光素子アレイモジュール。
【請求項１０】前記光素子アレイと前記レンズアレイとが相対的に位置決めされるように、前記光素子搭載用基板の搭載面と前記レンズアレイブロックとの間を係合させて構成することを特徴とする請求項９記載の光素子アレイモジュール。
・・・
【請求項１２】前記光素子アレイと前記レンズアレイとが相対的に位置決めされるように、前記光素子搭載用基板の搭載面と前記レンズアレイブロックとの間を、凹部と球状面との嵌合により係合させて構成することを特徴とする請求項９記載の光素子アレイモジュール。」
　
（イ）「【００１８】以上説明したように、光素子搭載用基板１１の搭載面から発光点列１４までの発光点高さ１５は、端面発光型のレーザアレイ１３自身の基板厚みおよびはんだ厚みのばらつきにより、最大で±１０〜２０μｍ程度のＹ方向に高さばらつきが発生することになる。そこで、本発明に係る光素子アレイモジュールは、上記Ｙ方向の高さばらつきを調整できるように、光素子搭載用基板１１と、レーザ光を集光させる機能を有するレンズアレイ３４を備えたレンズアレイブロック３１と、光コネクタフェルール５１を着脱可能に構成した光コネクタハウジング４１とをＺ方向に積層接着構造で構成した。レンズアレイ３４は、端面発光型光素子アレイ１３から拡がって出射されるレーザ光を集光させて多芯光ファイバアレイ５４ヘ効率よく光結合させるためのものである。多芯の光コネクタは、光ファイバを例えば２５０μｍピッチで配列して構成されるため、光素子アレイ１３やレンズアレイ３４も同一の例えば２５０μｍピッチで一体集積化されて製造されて構成される。このように、複数個のレンズを例えば２５０μｍピッチで一列に配列して構成されるレンズアレイ３４は、精密転写によるガラスの凸成形や、ガラス板のイオン交換による屈折率変化を利用した方法により精度良く成形することができる。」
　
（ウ）「【００２４】（２）光素子アレイ１３がＸ方向およびＺ方向に高精度に接続された光素子搭載用基板１１の端面のＹ方向に形成された嵌合用溝１６ａ、１６ｂとレンズアレイブロック３１の入射端面のＹ方向に相対（対向）して形成された例えば嵌合用溝３２ａ、３２ｂとはガイドピン２１ａ、２１ｂのはめ合い（係合）（ガイドピン接続動作１０１とレンズアレイ接続動作１０２による例えばＶ溝と円柱面とＶ溝間の押し付け動作）により、Ｘ方向およびＺ方向には一意に拘束されて位置決めされる。Ｙ方向には、Ｖ溝と円柱の相対位置をＹ方向にずらすことが可能で、自由度が残る。
【００２５】（３）光素子アレイ１３の発光点列１４とレンズアレイブロック３１のレンズアレイ３４とのＹ方向の位置決めは、例えば、次のように行う。
（ａ）光素子アレイ１３の発光点列１４からレーザ光を発振させて、レンズ透過後のレーザ集光像の位置をＴＶカメラ等で計測し、別途計測されたレンズ像の中心位置との相対位置関係により、Ｙ方向に相対位置を調整し、接着等により固定する。
（ｂ）光素子アレイ１３の発光点列１４の高さ位置をＴＶカメラ等で計測する。次に、ＴＶカメラをＺ方向に移動して、レンズに焦点を合わせ、レンズ像の中心位置を計測し、それらの相対位置関係により、Ｙ方向に相対位置を調整し、接着等により固定する。
（ｃ）予め、光素子アレイ１３における上面から発光点列１４までの高さを測定しておき、レンズアレイブロック３１における上面からレンズアレイ３４の中心までの高さを測定しておけば、ばらつきが少ないので、光素子アレイ１３の上面とレンズアレイブロック３１の上面との間の寸法が所定の値になるようにＹ方向の相対的な位置を決めて例えば接着剤によりレンズアレイブロック３１を光素子搭載用基板１１の端面に固定すればよい。
【００２６】次に、光コネクタハウジング４１が、光コネクタハウジング接続動作１０３によってレンズアレイブロック３１と位置決めされて接着固定される。光コネクタハウジング４１に保持された球ジョイント４２ａ、４２ｂが、レンズアレイブロック３１の光コネクタ側の両側に形成された凹部３３ａ、３３ｂと係合することによって、光コネクタハウジング４１は、レンズアレイブロック３１のレンズアレイ３４に対してＸ方向およびＹ方向について機械的に位置決めされてレンズアレイブロック３１の出射端面に接着固定されることになる。なお、上記球ジョイント付きの光コネクタハウジング４１は、プラスチックの転写成形で一体もしくは複数部品の組立で精度良く安価に製造することが可能である。光コネクタフェルール５１は、多芯光ファイバアレイ５４を形成した光ファイバテープ５３の端に装着され、多芯光ファイバアレイ５４に対して高精度に位置決めされてガイドピン穴５２ａ、５２ｂが形成されている。従って、多芯光ファイバアレイ５４を有する光コネクタフェルール５１を、光コネクタハウジング接続動作１０４によって光コネクタハウジング４１に挿着した際、ガイドピン穴（凹部でもよい。）５２ａ、５２ｂに光コネクタハウジング４１に保持された球ジョイント４２ａ、４２ｂが係合することによって、レンズアレイ３４と多芯光ファイバアレイ５４とはＸ方向、Ｙ方向およびＺ方向について相対的に高精度に位置決めされて光結合状態が安定に保持されることになる。
【００２７】即ち、レンズアレイブロック３１と、光コネクタハウジング４１に着脱自在に挿着される光コネクタフェルール５１とは、球ジョイント４２ａ、４２ｂによって相対的にＸＹＺ方向に同時に高精度に位置決めすることができ、その結果高精度の光結合を実現することができる。特に、レンズアレイブロック３１においては、凹部３３ａ、３３ｂの深みだけが必要となり、光素子アレイモジュールとしてＺ方向の長さの最小化を実現することができる。更に、球ジョイント４２ａ、４２ｂを介しての接続は、球ジョイント４２ａ、４２ｂの球面を凹部３３ａ、３３ｂ；５２ａ、５２ｂに押し付けるだけで自動的に求心され嵌合される構造のため、光コネクタフェルール５１の曲げ・傾きが大きくても、光結合しやすく、簡易な組立装置を使用しても、組立や検査時に光結合が容易に可能となり、製造コストを下げることが可能となる。なお、光コネクタフェルール５１を、光コネクタハウジング接続動作１０３によって光コネクタハウジング４１に挿着した際、光コネクタフェルール５１をレンズアレイブロック３１の方へ押圧する機構（図示せず）および抜けないように引掛けるラッチ機構（図示せず）が設けられている。更に、光コネクタフェルール５１を光コネクタハウジング４１から外すには、上記ラッチ機構を外すことによって実現することができる。」
　
　上記記載を総合勘案すると、引用例２には、次の発明（以下「引用発明２」という。）が記載されていると認められる。
　
「面発光型若しくは面受光型光素子アレイを光素子搭載用基板の搭載面に接続実装し、前記光素子アレイとレーザ光を集光するレンズアレイと光ファイバアレイとが光結合するように、前記光素子搭載用基板の搭載面に前記レンズアレイを形成したレンズアレイブロックと前記光ファイバアレイの端部を保持する光コネクタフェルールを着脱自在に挿着する光コネクタハウジングとを積み重ねて、前記光素子搭載用基板と、前記レンズアレイブロックと、前記光コネクタハウジングとの積層接着構造として固定して構成する光素子アレイモジュールにおいて、
　前記光素子アレイと前記レンズアレイとが相対的に位置決めされるように、前記光素子搭載用基板の搭載面と前記レンズアレイブロックとの間を、凹部と球状面との嵌合により係合させ、レンズアレイと光ファイバアレイとが位置決めされて光結合状態が保持されるように構成した光素子アレイモジュール。」
　
３．対比
　
　本願発明と引用発明１とを対比する。
　
（１）引用発明１の「光インタフェースコネクタ設置枠付パッケージ」、「光インタフェースコネクタ」、「位置決め用ガイドピン」及び「光Ｉ／Ｏインタフェースモジュール」が、それぞれ、本願発明の「パッケージ」、「光ファイバコネクタ」、「位置決め手段」及び「光モジュール」に相当する。
　
（２）引用発明１において、「端面で反射して鉛直下方に光路変換され」た信号光が、「前記コネクタの光入出力面を透過して前記マイクロレンズに入射すると屈折され、パッケージ内に導入され、光インタフェースデバイス（受光素子）に集光」するから、引用発明１の「光インタフェースデバイス（受光素子）」は、「上方から光を受光する受光素子」であるといえ、また、引用発明１の「マイクロレンズ」は、「受光素子の上方に位置するように固定されたマイクロレンズ」であるといえる。よって、引用発明１の「光インタフェースデバイス（受光素子）」と本願発明の「面受光素子」とは、「上方から光を受光する受光素子」の点で一致するとともに、引用発明１の「マイクロレンズ」と本願発明の「平板マイクロレンズ」とは、「前記受光素子の上方に位置するように固定されたマイクロレンズ」の点で一致する。
　
（３）引用発明１において、「ファイバ貫通穴に光ファイバを挿入し固定した後、斜面から突出している光ファイバの突出端部をカッタにより斜面に沿って切断し、斜面を研磨して光ファイバの端面出しを行」った「光ファイバの端面」は「光ファイバ内を進行する信号光」を「反射して鉛直下方に光路変換」し「光インタフェースデバイス（受光素子）に集光」するから、引用発明１の「光ファイバの端面」は、「前記光ファイバを伝播してきた光を下方に位置する前記受光素子に入射させる光路変更部」であるといえる。よって、引用発明１の「光ファイバの端面」が本願発明の「前記光ファイバを伝播してきた光を下方に位置する前記受光素子に入射させる光路変更部」に相当する。また、「光ファイバの端面」はコネクタのファイバ貫通穴に挿通されて研磨して端面出しをしたものであるから、光インタフェースコネクタに備わっている「光路変更部」である。
　
（４）引用発明１において、「前記光インタフェースコネクタの下面を前記光インタフェースコネクタ設置枠付パッケージの上面に当接させたとき、前記位置決め用ガイドピンによって、前記光ファイバの傾斜した端面で反射して鉛直下方に光路変換され光が前記マイクロレンズにより前記光インタフェースデバイス（受光素子）に集光されるように前記光インタフェースコネクタ設置枠付パッケージと前記光インタフェースコネクタとが位置決めされ」るから、引用発明１の「位置決め用ガイドピン」は、本願発明の「この光ファイバコネクタの下面を前記パッケージの上面に当接させたとき、前記受光素子と前記光ファイバとが前記マイクロレンズ及び前記光路変更部を介して光学的に結合するよう前記パッケージと前記光ファイバコネクタとを機械的に位置決めする位置決め手段」に相当する。
　
（５）引用発明１において、位置決めガイドピンによって前記光インタフェースコネクタ設置枠付パッケージと前記光インタフェースコネクタとが位置決めされた後、「前記コネクタ押え枠を前記コネクタの上に設置し、該コネクタ押え枠を前記パッケージにねじによって固定することにより前記光インタフェースコネクタを前記パッケージに取付ける」から、引用発明１の「前記コネクタ押え枠を前記コネクタの上に設置し、該コネクタ押え枠を前記パッケージにねじによって固定すること」は、本願発明の「前記光ファイバコネクタを前記パッケージに着脱自在に固定する固定手段」に相当する。
　
（６）引用発明１の「信号処理用ＬＳＩによる処理信号を出力する場合は、光インタフェースデバイスが発光素子に変更されるのみであって、上記と反対の接続経路を経て光ファイバに信号光が出力されることにより、前記光インタフェースデバイス（受光素子又は発光素子）と前記光インタフェースコネクタを光結合させる」ことは、すなわち、光インタフェースデバイス（発光素子）から鉛直上方に出射した光は、パッケージ外に導出され、マイクロレンズに入射すると屈折され、コネクタの光入出力面を透過して、光ファイバの傾斜した端面で反射して光路変換され、光ファイバ内を進行するのであるから、本願発明の「『上方に光を出射する面発光素子』・・・『を搭載するパッケージと、前記面発光素子』・・・『の上方に位置するよう』・・・『に固定された平板マイクロレンズと、下方に位置する前記面発光素子から出射した光を光ファイバに入射させ』・・・『る光路変更部を備えた光ファイバコネクタと、この光ファイバコネクタの下面を前記パッケージの上面に当接させたとき、前記面発光素子』・・・『と前記光ファイバとが前記平板マイクロレンズ及び前記光路変更部を介して光学的に結合するよう前記パッケージと前記光ファイバコネクタとを機械的に位置決めする位置決め手段と』を『有』」することとは、「上方に光を出射する発光素子を搭載するパッケージと、前記発光素子の上方に位置するように固定されたマイクロレンズと、下方に位置する前記発光素子から出射した光を光ファイバに入射させる光路変更部を備えた光ファイバコネクタと、この光ファイバコネクタの下面を前記パッケージの上面に当接させたとき、前記発光素子と前記光ファイバとが前記マイクロレンズ及び前記光路変更部を介して光学的に結合するよう前記パッケージと前記光ファイバコネクタとを機械的に位置決めする位置決め手段とを有」するようにしたという点で一致する。
　
　よって、本願発明と引用発明１とは、 
 「上方に光を出射する発光素子または上方から光を受光する受光素子を搭載するパッケージと、
　前記発光素子または受光素子の上方に位置するように固定されたマイクロレンズと、
　下方に位置する前記発光素子から出射した光を光ファイバに入射させ、または、前記光ファイバを伝播してきた光を下方に位置する前記受光素子に入射させる光路変更部を備えた光ファイバコネクタと、
　この光ファイバコネクタの下面を前記パッケージの上面に当接させたとき、前記発光素子または受光素子と前記光ファイバとが前記マイクロレンズ及び前記光路変更部を介して光学的に結合するよう前記パッケージと前記光ファイバコネクタとを機械的に位置決めする位置決め手段と、
　前記光ファイバコネクタを前記パッケージに着脱自在に固定する固定手段とを有した光モジュール。」の点で一致し、次の点で相違する。
　
（相違点１）
　本願発明では「面発光素子及び面受光素子の上方に位置するよう」及び「前記面発光素子及び面受光素子の光軸と位置を合わせて」とされていることから、パッケージに発光素子及び受光素子が搭載されていることが明らかであるのに対して、引用発明１ではこのことが明らかでない点。
（相違点２）
　受光素子及び発光素子が、本願発明では「面受光素子」及び「面発光素子」であるのに対して、引用発明１ではこのことが明らかでない点。
（相違点３）
　マイクロレンズが、本願発明では「パッケージに固定」されているのに対して、引用発明１では「光ファイバコネクタ（光インタフェースコネクタ）に備わっている」点。
（相違点４）
　マイクロレンズが、本願発明では「平板マイクロレンズ」であるのに対して、引用発明１ではそうではない点。　
（相違点５）
　本願発明では、マイクロレンズを発光素子及び受光素子の光軸と位置を合わせて固定しているのに対して、引用発明１ではこのことが明らかでない点。
　
４．判断
　上記相違点１について検討する。
　引用発明１は、前記光ファイバ内を進行する信号光は傾斜した前記端面で反射して鉛直下方に光路変換され、前記コネクタの光入出力面を透過して前記マイクロレンズに入射すると屈折され、パッケージ内に導入され、光インタフェースデバイス（受光素子）に集光して、光インタフェースデバイスによって電気信号に変換されることにより、また、信号処理用ＬＳＩによる処理信号を出力する場合は、光インタフェースデバイスが発光素子に変更されるのみであって、上記と反対の接続経路を経て光ファイバに信号光が出力されることにより、前記光インタフェースデバイス（受光素子又は発光素子）と前記光インタフェースコネクタを光結合させる光モジュールであるところ、発光素子及び受光素子を搭載した光モジュールは、例えば特開平８−８８１８号公報、特開平７−２０９５５６号公報、及び特開２００１−９４１２５号公報にみられるように本願出願前に周知であるから、引用発明１においても、パッケージに発光素子及び受光素子を搭載し、信号処理用ＬＳＩによる処理信号を出力する場合には光インタフェースデバイスが受光素子である場合と反対の接続経路を経て光ファイバに信号光が出力されるようにするこは当業者が容易に想到しうることである。
　
　上記相違点２について検討する。
　受光素子及び発光素子として、面受光素子及び面受光素子は本願出願前に周知である（例．引用例２（【００３０】参照。）、特開２００１−１５７７３号公報（【０００１】参照。）、特開平９−２４３８６８号公報（【００１４】及び【００２２】参照。）、特開２００１−１８５７５２号公報（【００２２】参照。））から、引用発明１においても受光素子及び発光素子として面受光素子及び面発光素子を用いることは当業者が容易に想到しうることである。
　
　上記相違点３について検討する。
　引用発明２の光素子アレイモジュールは、
面発光型若しくは面受光型光素子アレイを搭載面に接続実装した光素子搭載用基板の前記搭載面に、レンズアレイを形成したレンズアレイブロックと光ファイバアレイの端部を保持する光コネクタフェルールを着脱自在に挿着する光コネクタハウジングとを積み重ねて、前記光素子搭載用基板と、前記レンズアレイブロックと、前記光コネクタハウジングとの積層接着構造としたものであり、前記レンズアレイは光ファイバアレイの端部を保持する光コネクタフェルールの側にでははく、光コネクタフェルールを挿着する前の、面発光型若しくは面受光型光素子アレイを搭載面に接続実装した光素子搭載用基板とレンズアレイブロックと光コネクタハウジングとの積層接着構造の側に固着されており、光コネクタフェルールを光コネクタハウジングに挿着した際に、レンズアレイと光ファイバアレイとが位置決めされて光結合状態が保持されるように構成したものであるから、引用発明２のレンズアレイは、光コネクタフェルールの側にでははく、光素子アレイが固着された積層接着構造の側に固着されており、光コネクタフェルールを積層接着構造に当接させた際に、光素子アレイと光コネクタフェルールとを光結合するものである。また、引用発明２のレンズアレイが「マイクロレンズ」であることは明らかである。してみると、引用発明１の、光インタフェースコネクタを、光インタフェースデバイスが搭載されたマルチチップモジュール基板を配設したパッケージの上面に当接させて、光インタフェースデバイスと光インタフェースコネクタを光結合させる光モジュールにおいても、引用発明２の光素子アレイモジュールと同様に、マイクロレンズを光インタフェースコネクタ側に備えるのではなく、パッケージに固定するようにすることは当業者が適宜なし得る程度の事項である。
　
　上記相違点４について検討する。
　光ファイバと光／電変換素子とを光結合するために平板マイクロレンズを用いることは周知である（例．特開２００１−１８５７５２号公報（【００２２】参照。）、特開２００１−３２４６３１号公報（【００５２】ないし【００５３】参照。）、特開平６−１５１９０３号公報（【００４９】ないし【００５１】参照。））から、引用発明１の光モジュールにおいて、マイクロレンズとして平板マイクロレンズを用いることは上記周知技術に基づいて当業者が容易に想到しうることである。
　
　上記相違点５について検討する。
　受光素子の上方に該受光素子に光を集光するマイクロレンズを配置する際に、マイクロレンズを受光素子の光軸と位置を合わせて配置することは当業者当然考慮する程度のことである。
　
　そして、本願発明の作用効果は引用発明１及び２並びに周知技術から当業者が予期できたものである。
　
　したがって、本願発明は、引用発明１及び２に基づいて当業者が容易に発明をすることができたものである。
　
５．むすび
　したがって、本願発明は、引用例１及び２に記載された発明に基づいて当業者が容易に発明をすることができたものであるので、特許法第２９条第２項の規定により特許を受けることができない。
　
　よって、結論のとおり審決する。